(57)【要約】  ユーザ装置は、サポートされるバンドコンビネーションの候補となるバンドを示す第１の情報と、いずれのＲＡＴ（Radio Access Technology）を使用するかを示す第２の情報とを基地局装置から受信する受信部と、前記第２の情報に基づいて、前記第１の情報に含まれるバンドからサポートされるバンドコンビネーションを決定する制御部と、前記決定されたバンドコンビネーションを含む端末能力情報を前記基地局装置に送信する送信部とを有する。
2020090069.tif 000002
【特許請求の範囲】
【請求項１】
サポートされるバンドコンビネーションの候補となるバンドを示す第１の情報と、いずれのＲＡＴ（Radio Access Technology）を使用するかを示す第２の情報とを基地局装置から受信する受信部と、
前記第２の情報に基づいて、前記第１の情報に含まれるバンドからサポートされるバンドコンビネーションを決定する制御部と、
前記決定されたバンドコンビネーションを含む端末能力情報を前記基地局装置に送信する送信部とを有するユーザ装置。
【請求項２】
前記制御部は、前記第２の情報が第１のＲＡＴを示す場合、前記第１のＲＡＴで構成されるバンドのみを前記決定されたバンドコンビネーションに含め、前記第２の情報が第２のＲＡＴを示す場合、前記第２のＲＡＴで構成されるバンドのみを前記決定されたバンドコンビネーションに含める請求項１のユーザ装置。
【請求項３】
前記制御部は、前記第２の情報が第１のＲＡＴ及び第２のＲＡＴを示す場合、前記第１のＲＡＴで構成されるバンドを少なくとも１つと、前記第２のＲＡＴで構成されるバンドを少なくとも１つとを前記決定されたバンドコンビネーションに含める請求項１のユーザ装置。
【請求項４】
サポートされるバンドコンビネーションの候補となるバンドを示す第１の情報と、いずれのＲＡＴ（Radio Access Technology）を使用するかを示す第２の情報とをユーザ装置に送信する送信部と、
前記第２の情報に基づいて、前記第１の情報に含まれるバンドから決定されたサポートされるバンドコンビネーションを含む端末能力情報を受信する受信部と、
受信された前記端末能力情報に基づいて、前記ユーザ装置との通信を制御する制御部とを有する基地局装置。
【発明の詳細な説明】
【技術分野】
【０００１】
本発明は、無線通信システムにおけるユーザ装置及び基地局装置に関する。
【背景技術】
【０００２】
現在、３ＧＰＰ（Third Generation Partnership Project）において、ＬＴＥ（Long Term Evolution）システム及びＬＴＥ−Ａｄｖａｎｃｅｄシステムの後継として、ＮＲ（New Radio Access Technology）システムと呼ばれる新たな無線通信システムの仕様策定が進められている（例えば非特許文献１）。【０００３】
ＮＲシステムでは、ＬＴＥシステムにおけるデュアルコネクティビティと同様に、ＬＴＥシステムの基地局（ｅＮＢ）とＮＲシステムの基地局（ｇＮＢ）との間でデータを分割し、これらの基地局によってデータを同時送受信する、ＬＴＥ−ＮＲデュアルコネクティビティ又はマルチＲＡＴ（Multi Radio Access Technology）デュアルコネクティビティ（以下、「ＭＲ−ＤＣ」という。）と呼ばれる技術の導入が検討されている（例えば非特許文献２）。
【先行技術文献】
【非特許文献】
【０００４】
【非特許文献１】３ＧＰＰ  ＴＳ  ３８．３００  Ｖ１５．３．０（２０１８−０９）
【非特許文献２】３ＧＰＰ  ＴＳ  ３７．３４０  Ｖ１５．３．０（２０１８−０９）
【発明の概要】
【発明が解決しようとする課題】
【０００５】
ＭＲ−ＤＣにおいて、Ｅ−ＵＴＲＡ（Evolved Universal Terrestrial Radio Access）で規定されるバンド及びＮＲで規定されるバンドが混在したリストが、ユーザ装置に通知される。ユーザ装置は、当該リストからユーザ装置がサポートするバンドコンビネーションを決定する。ここで、ネットワークからＲＡＴ（Radio Access Technology）が指定される場合、Ｅ−ＵＴＲＡでサポートするバンドコンビネーションと、ＮＲでサポートするバンドコンビネーションと、ＭＲ−ＤＣでサポートするバンドコンビネーションとで、ユーザ装置におけるバンドコンビネーションに係る処理を切り替える必要があった。【０００６】
本発明は上記の点に鑑みてなされたものであり、複数のＲＡＴを利用する無線通信システムでサポートするバンドコンビネーションを決定する技術を提供することである。
【課題を解決するための手段】
【０００７】
開示の技術によれば、ユーザ装置は、サポートされるバンドコンビネーションの候補となるバンドを示す第１の情報と、いずれのＲＡＴ（Radio Access Technology）を使用するかを示す第２の情報とを基地局装置から受信する受信部と、前記第２の情報に基づいて、前記第１の情報に含まれるバンドからサポートされるバンドコンビネーションを決定する制御部と、前記決定されたバンドコンビネーションを含む端末能力情報を前記基地局装置に送信する送信部とを有する。
【発明の効果】
【０００８】
開示の技術によれば、複数のＲＡＴを利用する無線通信システムでサポートするバンドコンビネーションを決定することができる。
【図面の簡単な説明】
【０００９】
【図１】本発明の実施の形態に係る無線通信システムの構成例である。
【図２】本発明の実施の形態に係るユーザ装置２０が基地局装置１０に能力通知を行うシーケンス図である。
【図３】ＭＲ−ＤＣにおけるバンドコンビネーションの生成例を示す図である。
【図４】本発明の実施の形態に係るＭＲ−ＤＣにおけるバンドコンビネーションを生成する手順を説明するためのフローチャートである。
【図５】本発明の実施の形態に係るＭＲ−ＤＣにおけるバンドコンビネーションの生成例（１）を示す図である。
【図６】本発明の実施の形態に係るＭＲ−ＤＣにおけるバンドコンビネーションの生成例（２）を示す図である。
【図７】本発明の実施の形態に係るＭＲ−ＤＣにおけるバンドコンビネーションの生成例（３）を示す図である。
【図８】本発明の実施の形態に係るＭＲ−ＤＣにおけるバンドコンビネーションの生成例（４）を示す図である。
【図９】本発明の実施の形態に係るＭＲ−ＤＣにおけるバンドコンビネーションの生成例（５）を示す図である。
【図１０】本発明の実施の形態に係るバンドコンビネーションの制御例を説明するためのフローチャートである。
【図１１】本発明の実施の形態に係るバンドコンビネーションの制御例を示す図である。
【図１２】本発明の実施の形態に係る基地局装置１０の機能構成の一例を示す図である。
【図１３】本発明の実施の形態に係るユーザ装置２０の機能構成の一例を示す図である。
【図１４】本発明の実施の形態に係る基地局装置１０及びユーザ装置２０のハードウェア構成の一例を示す図である。
【発明を実施するための形態】
【００１０】
以下、図面に基づいて本発明の実施の形態を説明する。
【００１１】
図１は、本発明の実施の形態に係る無線通信システムの構成例である。図１は、本発明の一実施例による無線通信システムを示す概略図である。
【００１２】
図１に示されるように、ユーザ装置２０は、ＬＴＥシステム及びＮＲシステムによって提供される基地局装置１０Ａ、基地局装置１０Ｂ（以降、基地局装置１０Ａと基地局装置１０Ｂを区別しない場合「基地局装置１０」として参照されてもよい。）と通信接続すると共に、基地局装置１０Ａをマスタ基地局とし、基地局装置１０Ｂをセカンダリ基地局とするＬＴＥ−ＮＲデュアルコネクティビティ、すなわちＭＲ−ＤＣをサポートする。すなわち、ユーザ装置２０は、マスタ基地局装置１０Ａ及びセカンダリ基地局装置１０Ｂにより提供される複数のコンポーネントキャリアを同時に利用して、マスタ基地局装置１０Ａ及びセカンダリ基地局装置１０Ｂと同時送信又は同時受信を実行することが可能である。なお、図示された実施例では、ＬＴＥシステム及びＮＲシステムはそれぞれ１つの基地局しか有していないが、一般に、ＬＴＥシステム及びＮＲシステムのサービスエリアをカバーするよう多数の基地局が配置される。
【００１３】
なお、以下の実施例は、ＬＴＥ−ＮＲデュアルコネクティビティに関して説明されるが、本開示によるユーザ装置は、これに限定されず、異なるＲＡＴを利用した複数の無線通信システムの間のデュアルコネクティビティ、すなわち、ＭＲ−ＤＣに適用可能であることは当業者に容易に理解されるであろう。
【００１４】
図２は、本発明の実施の形態に係るユーザ装置２０が基地局装置１０に端末能力通知を行うシーケンス図である。図２において、基地局装置１０は、端末能力通知要求をユーザ装置２０に送信し、ユーザ装置２０は、当該端末能力通知要求に応答して、端末能力通知を基地局装置１０に送信する。
【００１５】
ステップＳ１において、基地局装置１０は、端末能力通知要求として、ＲＲＣ（Radio Resource Control）メッセージ「ＵＥＣａｐａｂｉｌｉｔｙＥｎｑｕｉｒｙ」をユーザ装置２０に送信する。ＵＥＣａｐａｂｉｌｉｔｙＥｎｑｕｉｒｙは、ユーザ装置２０の無線アクセス能力に関する情報をネットワークで取得するために用いられる。基地局装置１０は、ＵＥＣａｐａｂｉｌｉｔｙＥｎｑｕｉｒｙによって、ユーザ装置２０に通知させる情報に含まれる無線アクセス能力の種別を指定することができる。例えば、基地局装置１０は、ユーザ装置２０がサポートするバンドコンビネーションに係る無線アクセス能力の通知を要求してもよい。さらに、基地局装置１０は、ユーザ装置２０に通知するリスト「ｒｅｑｕｅｓｔｅｄＦｒｅｑＢａｎｄＬｉｓｔ」に含まれるバンドから構成されるユーザ装置２０がサポートするバンドコンビネーションの通知を要求してもよい。
【００１６】
続いて、ステップＳ２において、ユーザ装置２０は、端末能力通知として、ＲＲＣメッセージ「ＵＥＣａｐａｂｉｌｉｔｙＩｎｆｏｒｍａｔｉｏｎ」を基地局装置１０に送信する。ＵＥＣａｐａｂｉｌｉｔｙＩｎｆｏｒｍａｔｉｏｎは、ユーザ装置２０の無線アクセス能力に関する情報をネットワークに通知するために用いられる。ユーザ装置２０は、ステップＳ１で基地局装置１０から受信したＵＥＣａｐａｂｉｌｉｔｙＥｎｑｕｉｒｙに基づいて、ユーザ装置２０がサポートする無線アクセス能力に関する情報を基地局装置１０に送信する。
【００１７】
ステップＳ３において、基地局装置１０は、ステップＳ２でユーザ装置２０から受信したＵＥＣａｐａｂｉｌｉｔｙＩｎｆｏｒｍａｔｉｏｎによる端末能力に適合させた通常の通信を行う。例えば、ステップＳ２でユーザ装置２０から受信したＵＥＣａｐａｂｉｌｉｔｙＩｎｆｏｒｍａｔｉｏｎにサポートされるバンドコンビネーションが含まれていた場合、基地局装置１０は、サポートされるバンドコンビネーションの範囲でスケジューリングを行う。
【００１８】
図３は、ＭＲ−ＤＣにおけるバンドコンビネーションの生成例を示す図である。図３に示されるように、「ｒｅｑｕｅｓｔｅｄＦｒｅｑＢａｎｄＬｉｓｔ」に含まれるバンド及びリストにおけるバンドの順に基づいて、ユーザ装置２０は、サポートするバンドコンビネーションのリスト「ｓｕｐｐｏｒｔｅｄＢａｎｄＣｏｍｂｉｎａｔｉｏｎ」を生成する。
【００１９】
例えば、ユーザ装置２０は、「ｒｅｑｕｅｓｔｅｄＦｒｅｑＢａｎｄＬｉｓｔ」の１番目のバンドと２番目のバンドとのバンドコンビネーションを候補とする。次に１番目のバンドと３番目のバンドとのバンドコンビネーションを候補とする。次に１番目のバンドと４番目のバンドとのバンドコンビネーションを候補とする。次に１番目のバンドと５番目のバンドとのバンドコンビネーションを候補とする。次に１番目のバンドと６番目のバンドとのバンドコンビネーションを候補とする。次に２番目のバンドと３番目のバンドとのバンドコンビネーションを候補とする。次に２番目のバンドと４番目のバンドとのバンドコンビネーションを候補とする。ユーザ装置２０は、上記の順で、「ｓｕｐｐｏｒｔｅｄＢａｎｄＣｏｍｂｉｎａｔｉｏｎ」を生成する。
【００２０】
ここで、図３に示される「ｒｅｑｕｅｓｔｅｄＦｒｅｑＢａｎｄＬｉｓｔ」の場合、１番目から３番目のバンドがいずれもＮＲバンドであるため、ＮＲバンドのみ含むバンドコンビネーションが、「ｓｕｐｐｏｒｔｅｄＢａｎｄＣｏｍｂｉｎａｔｉｏｎ」の先頭に含まれる。ＮＲバンドのみから構成されるバンドコンビネーションは、ＭＲ−ＤＣに適用できないため、本発明の実施の形態においては、Ｅ−ＵＴＲＡバンド及びＮＲバンドを含むバンドコンビネーションが「ｓｕｐｐｏｒｔｅｄＢａｎｄＣｏｍｂｉｎａｔｉｏｎ」の先頭に含まれるバンドコンビネーションの生成方法を提案する。
【００２１】
図４は、本発明の実施の形態に係るＭＲ−ＤＣにおけるバンドコンビネーションを生成する手順を説明するためのフローチャートである。
【００２２】
ステップＳ１１において、ユーザ装置２０は、「ｒｅｑｕｅｓｔｅｄＦｒｅｑＢａｎｄＬｉｓｔ」が、基地局装置１０から通知された「ＵＥＣａｐａｂｉｌｉｔｙＥｎｑｕｉｒｙ」に含まれるか否か判定する。「ｒｅｑｕｅｓｔｅｄＦｒｅｑＢａｎｄＬｉｓｔ」が含まれる場合（Ｓ１１のＹＥＳ）、ステップＳ１２に進み、「ｒｅｑｕｅｓｔｅｄＦｒｅｑＢａｎｄＬｉｓｔ」が含まれない場合（Ｓ１１のＮＯ）、フローを終了する。
【００２３】
ステップＳ１２において、ユーザ装置２０は、「ｒｅｑｕｅｓｔｅｄＦｒｅｑＢａｎｄＬｉｓｔ」に含まれるＮＲ  ｂａｎｄから、ユーザ装置２０がサポートするＮＲ  ＣＡ  ｂａｎｄ  ｃｏｍｂｉｎａｔｉｏｎ又はＮＲ  ｂａｎｄを含む「ＮＲバンドリスト」を作成する。また、ユーザ装置２０は、「ｒｅｑｕｅｓｔｅｄＦｒｅｑＢａｎｄＬｉｓｔ」に含まれるＥ−ＵＴＲＡ  ｂａｎｄから、ユーザ装置２０がサポートするＥ−ＵＴＲＡ  ＣＡ  ｂａｎｄ  ｃｏｍｂｉｎａｔｉｏｎ又はＥ−ＵＴＲＡ  ｂａｎｄを含む「Ｅ−ＵＴＲＡバンドリスト」を作成する。なお、「ＮＲバンドリスト」又は「Ｅ−ＵＴＲＡバンドリスト」におけるバンドの順は、「ｒｅｑｕｅｓｔｅｄＦｒｅｑＢａｎｄＬｉｓｔ」におけるバンドの順が維持されるものとする。
【００２４】
続いて、ユーザ装置２０は、「ｒｅｑｕｅｓｔｅｄＦｒｅｑＢａｎｄＬｉｓｔ」に、Ｅ−ＵＴＲＡ  ｂａｎｄ及びＮＲ  ｂａｎｄの双方が含まれるか否か判定する。双方が含まれる場合（Ｓ１３のＹＥＳ）、ステップＳ１４に進み、いずれか一方のみが含まれる場合（Ｓ１３のＮＯ）、フローを終了する。
【００２５】
ステップＳ１４において、ユーザ装置２０は、ステップＳ１２で作成した「ＮＲバンドリスト」及び「Ｅ−ＵＴＲＡバンドリスト」に基づいて、「ＭＲ−ＤＣ  ｂａｎｄ  ｃｏｍｂｉｎａｔｉｏｎリスト」を作成し、フローを終了する。
【００２６】
なお、ユーザ装置２０は、「ｓｕｐｐｏｒｔｅｄＢａｎｄＣｏｍｂｉｎａｔｉｏｎ」に、上記手順で作成された「ＭＲ−ＤＣ  ｂａｎｄ  ｃｏｍｂｉｎａｔｉｏｎリスト」を先頭として配置し、「ＮＲバンドリスト」又は「Ｅ−ＵＴＲＡバンドリスト」を後方に配置してもよい。
【００２７】
図５は、本発明の実施の形態に係るＭＲ−ＤＣにおけるバンドコンビネーションの生成例（１）を示す図である。図５において、図４に示されるステップＳ１４における「ＮＲバンドリスト」及び「Ｅ−ＵＴＲＡバンドリスト」から「ＭＲ−ＤＣ  ｂａｎｄ  ｃｏｍｂｉｎａｔｉｏｎリスト」を作成するときのバンドの順序の詳細を説明する。
【００２８】
図５に示されるように、ユーザ装置２０は、「ＮＲバンドリスト」の１番目のＮＲ  ＣＡ  ｂａｎｄ  ｃｏｍｂｉｎａｔｉｏｎと、「Ｅ−ＵＴＲＡバンドリスト」の１番目のＥ−ＵＴＲＡ  ＣＡ  ｂａｎｄ  ｃｏｍｂｉｎａｔｉｏｎとを候補とする。次に、「ＮＲバンドリスト」の１番目のＮＲ  ＣＡ  ｂａｎｄ  ｃｏｍｂｉｎａｔｉｏｎと、「Ｅ−ＵＴＲＡバンドリスト」の２番目のＥ−ＵＴＲＡ  ＣＡ  ｂａｎｄ  ｃｏｍｂｉｎａｔｉｏｎとを候補とする。上記のような順で１番目のＮＲ  ＣＡ  ｂａｎｄ  ｃｏｍｂｉｎａｔｉｏｎと「Ｅ−ＵＴＲＡバンドリスト」のバンドとを候補とするように繰り返し、「ＮＲバンドリスト」の１番目のＮＲ  ＣＡ  ｂａｎｄ  ｃｏｍｂｉｎａｔｉｏｎと、「Ｅ−ＵＴＲＡバンドリスト」の最後のＥ−ＵＴＲＡ  ＣＡ  ｂａｎｄ  ｃｏｍｂｉｎａｔｉｏｎとを候補とした次に、「ＮＲバンドリスト」の２番目のＮＲ  ＣＡ  ｂａｎｄ  ｃｏｍｂｉｎａｔｉｏｎと、「Ｅ−ＵＴＲＡバンドリスト」の１番目のＥ−ＵＴＲＡ  ＣＡ  ｂａｎｄ  ｃｏｍｂｉｎａｔｉｏｎとを候補とする。同様に、「Ｅ−ＵＴＲＡバンドリスト」の最後のＥ−ＵＴＲＡ  ＣＡ  ｂａｎｄ  ｃｏｍｂｉｎａｔｉｏｎまで繰り返す。
【００２９】
上記のように、「ＮＲバンドリスト」及び「Ｅ−ＵＴＲＡバンドリスト」から、「ＮＲバンドリスト」ファーストの順で、「ＭＲ−ＤＣ  ｂａｎｄ  ｃｏｍｂｉｎａｔｉｏｎリスト」を作成する。なお、上記の「ＮＲ  ＣＡ  ｂａｎｄ  ｃｏｍｂｉｎａｔｉｏｎ」又は「Ｅ−ＵＴＲＡ  ｂａｎｄ  ｃｏｍｂｉｎａｔｉｏｎ」は、バンドコンビ―ネーションだけでなく、バンドが含まれてもよい。
【００３０】
図６は、本発明の実施の形態に係るＭＲ−ＤＣにおけるバンドコンビネーションの生成例（２）を示す図である。図６において、図４に示されるステップＳ１４における「ＮＲバンドリスト」及び「Ｅ−ＵＴＲＡバンドリスト」から「ＭＲ−ＤＣ  ｂａｎｄ  ｃｏｍｂｉｎａｔｉｏｎリスト」を作成するときのバンドの順序の詳細を説明する。
【００３１】
図６に示されるように、ユーザ装置２０は、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の１番目のＮＲ  ＣＡ  ｂａｎｄ  ｃｏｍｂｉｎａｔｉｏｎとを候補とする。次に、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の２番目のＮＲ  ＣＡ  ｂａｎｄ  ｃｏｍｂｉｎａｔｉｏｎとを候補とする。上記のような順で１番目のＥ−ＵＴＲＡ  ＣＡ  ｂａｎｄ  ｃｏｍｂｉｎａｔｉｏｎと「ＮＲバンドリスト」のバンドとを候補とするように繰り返し、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の最後のＮＲ  ＣＡ  ｂａｎｄ  ｃｏｍｂｉｎａｔｉｏｎとを候補とした次に、「Ｅ−ＵＴＲＡバンドリスト」の２番目のＥ−ＵＴＲＡ  ＣＡ  ｂａｎｄ  ｃｏｍｂｉｎａｔｉｏｎと、「ＮＲバンドリスト」の１番目のＮＲ  ＣＡ  ｂａｎｄ  ｃｏｍｂｉｎａｔｉｏｎとを候補とする。同様に、「ＮＲバンドリスト」の最後のＮＲ  ＣＡ  ｂａｎｄ  ｃｏｍｂｉｎａｔｉｏｎまで繰り返す。
【００３２】
上記のように、「ＮＲバンドリスト」及び「Ｅ−ＵＴＲＡバンドリスト」から、「Ｅ−ＵＴＲＡバンドリスト」ファーストの順で、「ＭＲ−ＤＣ  ｂａｎｄ  ｃｏｍｂｉｎａｔｉｏｎリスト」を作成する。なお、上記の「ＮＲ  ＣＡ  ｂａｎｄ  ｃｏｍｂｉｎａｔｉｏｎ」又は「Ｅ−ＵＴＲＡ  ｂａｎｄ  ｃｏｍｂｉｎａｔｉｏｎ」は、バンドコンビ―ネーションだけでなく、バンドが含まれてもよい。
【００３３】
図７は、本発明の実施の形態に係るＭＲ−ＤＣにおけるバンドコンビネーションの生成例（３）を示す図である。図７において、図４に示されるステップＳ１４における「ＮＲバンドリスト」及び「Ｅ−ＵＴＲＡバンドリスト」から「ＭＲ−ＤＣ  ｂａｎｄ  ｃｏｍｂｉｎａｔｉｏｎリスト」を作成するときのバンドの順序の詳細を説明する。
【００３４】
図７に示されるように、ユーザ装置２０は、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の１番目のＮＲ  ＣＡ  ｂａｎｄ  ｃｏｍｂｉｎａｔｉｏｎとを候補とする。次に、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の２番目のＮＲ  ＣＡ  ｂａｎｄ  ｃｏｍｂｉｎａｔｉｏｎとを候補とする。上記のような順で１番目のＥ−ＵＴＲＡ  ＣＡ  ｂａｎｄ  ｃｏｍｂｉｎａｔｉｏｎと「ＮＲバンドリスト」のバンドとを候補とするように繰り返し、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の最後のＮＲ  ＣＡ  ｂａｎｄ  ｃｏｍｂｉｎａｔｉｏｎとを候補とした次に、「ＮＲバンドリスト」の１番目のＮＲ  ＣＡ  ｂａｎｄ  ｃｏｍｂｉｎａｔｉｏｎと、「Ｅ−ＵＴＲＡバンドリスト」の２番目のＥ−ＵＴＲＡ  ＣＡ  ｂａｎｄ  ｃｏｍｂｉｎａｔｉｏｎとを候補とする。「Ｅ−ＵＴＲＡバンドリスト」の最後のＥ−ＵＴＲＡ  ＣＡ  ｂａｎｄ  ｃｏｍｂｉｎａｔｉｏｎまで繰り返す。
【００３５】
次に、「Ｅ−ＵＴＲＡバンドリスト」の２番目のＥ−ＵＴＲＡ  ＣＡ  ｂａｎｄ  ｃｏｍｂｉｎａｔｉｏｎと、「ＮＲバンドリスト」の２番目のＮＲ  ＣＡ  ｂａｎｄ  ｃｏｍｂｉｎａｔｉｏｎとを候補とする。「ＮＲバンドリスト」の最後のＮＲ  ＣＡ  ｂａｎｄ  ｃｏｍｂｉｎａｔｉｏｎまで繰り返す。
【００３６】
次に、「ＮＲバンドリスト」の２番目のＮＲ  ＣＡ  ｂａｎｄ  ｃｏｍｂｉｎａｔｉｏｎと、「Ｅ−ＵＴＲＡバンドリスト」の３番目のＥ−ＵＴＲＡ  ＣＡ  ｂａｎｄ  ｃｏｍｂｉｎａｔｉｏｎとを候補とする。「Ｅ−ＵＴＲＡバンドリスト」の最後のＥ−ＵＴＲＡ  ＣＡ  ｂａｎｄ  ｃｏｍｂｉｎａｔｉｏｎまで繰り返す。
【００３７】
上記のように、「ＮＲバンドリスト」及び「Ｅ−ＵＴＲＡバンドリスト」から、「Ｅ−ＵＴＲＡバンドリスト」及び「ＮＲバンドリスト」の順で交互に選択して「ＭＲ−ＤＣ  ｂａｎｄ  ｃｏｍｂｉｎａｔｉｏｎリスト」を作成する。なお、上記の「ＮＲ  ＣＡ  ｂａｎｄ  ｃｏｍｂｉｎａｔｉｏｎ」又は「Ｅ−ＵＴＲＡ  ｂａｎｄ  ｃｏｍｂｉｎａｔｉｏｎ」は、バンドコンビ―ネーションだけでなく、バンドが含まれてもよい。
【００３８】
図８は、本発明の実施の形態に係るＭＲ−ＤＣにおけるバンドコンビネーションの生成例（４）を示す図である。図８において、図４に示されるステップＳ１４における「ＮＲバンドリスト」及び「Ｅ−ＵＴＲＡバンドリスト」から「ＭＲ−ＤＣ  ｂａｎｄ  ｃｏｍｂｉｎａｔｉｏｎリスト」を作成するときのバンドの順序の詳細を説明する。
【００３９】
図８に示されるように、ユーザ装置２０は、「ＮＲバンドリスト」の１番目のＮＲ  ＣＡ  ｂａｎｄ  ｃｏｍｂｉｎａｔｉｏｎと、「Ｅ−ＵＴＲＡバンドリスト」の１番目のＥ−ＵＴＲＡ  ＣＡ  ｂａｎｄ  ｃｏｍｂｉｎａｔｉｏｎとを候補とする。次に、「ＮＲバンドリスト」の１番目のＮＲ  ＣＡ  ｂａｎｄ  ｃｏｍｂｉｎａｔｉｏｎと、「Ｅ−ＵＴＲＡバンドリスト」の２番目のＥ−ＵＴＲＡ  ＣＡ  ｂａｎｄ  ｃｏｍｂｉｎａｔｉｏｎとを候補とする。上記のような順で１番目のＮＲ  ＣＡ  ｂａｎｄ  ｃｏｍｂｉｎａｔｉｏｎと「Ｅ−ＵＴＲＡバンドリスト」のバンドとを候補とするように繰り返し、「ＮＲバンドリスト」の１番目のＥ−ＵＴＲＡ  ＣＡ  ｂａｎｄ  ｃｏｍｂｉｎａｔｉｏｎと、「Ｅ−ＵＴＲＡバンドリスト」の最後のＥ−ＵＴＲＡ  ＣＡ  ｂａｎｄ  ｃｏｍｂｉｎａｔｉｏｎとを候補とした次に、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の２番目のＮＲ  ＣＡ  ｂａｎｄ  ｃｏｍｂｉｎａｔｉｏｎとを候補とする。「ＮＲバンドリスト」の最後のＮＲ  ＣＡ  ｂａｎｄ  ｃｏｍｂｉｎａｔｉｏｎまで繰り返す。
【００４０】
次に、「ＮＲバンドリスト」の２番目のＮＲ  ＣＡ  ｂａｎｄ  ｃｏｍｂｉｎａｔｉｏｎと、「Ｅ−ＵＴＲＡバンドリスト」の２番目のＥ−ＵＴＲＡ  ＣＡ  ｂａｎｄ  ｃｏｍｂｉｎａｔｉｏｎとを候補とする。「Ｅ−ＵＴＲＡバンドリスト」の最後のＥ−ＵＴＲＡ  ＣＡ  ｂａｎｄ  ｃｏｍｂｉｎａｔｉｏｎまで繰り返す。
【００４１】
次に、「Ｅ−ＵＴＲＡバンドリスト」の２番目のＥ−ＵＴＲＡ  ＣＡ  ｂａｎｄ  ｃｏｍｂｉｎａｔｉｏｎと、「ＮＲバンドリスト」の３番目のＮＲ  ＣＡ  ｂａｎｄ  ｃｏｍｂｉｎａｔｉｏｎとを候補とする。「ＮＲバンドリスト」の最後のＮＲ  ＣＡ  ｂａｎｄ  ｃｏｍｂｉｎａｔｉｏｎまで繰り返す。
【００４２】
上記のように、「ＮＲバンドリスト」及び「Ｅ−ＵＴＲＡバンドリスト」から、「ＮＲバンドリスト」及び「Ｅ−ＵＴＲＡバンドリスト」の順で交互に選択して「ＭＲ−ＤＣ  ｂａｎｄ  ｃｏｍｂｉｎａｔｉｏｎリスト」を作成する。なお、上記の「ＮＲ  ＣＡ  ｂａｎｄ  ｃｏｍｂｉｎａｔｉｏｎ」又は「Ｅ−ＵＴＲＡ  ｂａｎｄ  ｃｏｍｂｉｎａｔｉｏｎ」は、バンドコンビ―ネーションだけでなく、バンドが含まれてもよい。
【００４３】
図９は、本発明の実施の形態に係るＭＲ−ＤＣにおけるバンドコンビネーションの生成例（５）を示す図である。図９の「Ｎｏｔｅ」に示されるように、「ｒｅｑｕｅｓｔｅｄＦｒｅｑＢａｎｄＬｉｓｔ」の先頭２バンドに、必ず１つのＥ−ＵＴＲＡ  ｂａｎｄと１つのＮＲ  ｂａｎｄとが含まれてもよい。当該「ｒｅｑｕｅｓｔｅｄＦｒｅｑＢａｎｄＬｉｓｔ」を使用することで、図３で説明した方法によって「ｓｕｐｐｏｒｔｅｄＢａｎｄＣｏｍｂｉｎａｔｉｏｎ」を生成した場合であっても、必ずＭＲ−ＤＣ  ｂａｎｄ  ｃｏｍｂｉｎａｔｉｏｎが先頭に含まれる「ｓｕｐｐｏｒｔｅｄＢａｎｄＣｏｍｂｉｎａｔｉｏｎ」をユーザ装置２０は、基地局装置１０に通知することができる。
【００４４】
上述の本発明の実施の形態のように、ユーザ装置２０は、「ｒｅｑｕｅｓｔｅｄＦｒｅｑＢａｎｄＬｉｓｔ」から、「ＮＲバンドリスト」及び「Ｅ−ＵＴＲＡバンドリスト」を抽出して、「ＭＲ−ＤＣ  ｂａｎｄ  ｃｏｍｂｉｎａｔｉｏｎリスト」を生成することができる。ユーザ装置２０は、生成した「ＭＲ−ＤＣ  ｂａｎｄ  ｃｏｍｂｉｎａｔｉｏｎリスト」を使用して、ＭＲ−ＤＣ  ｂａｎｄ  ｃｏｍｂｉｎａｔｉｏｎが先頭に含まれた「ｓｕｐｐｏｒｔｅｄＢａｎｄＣｏｍｂｉｎａｔｉｏｎ」を基地局装置１０に通知することができる。また、基地局装置１０は、「ｒｅｑｕｅｓｔｅｄＦｒｅｑＢａｎｄＬｉｓｔ」の先頭２バンドに、ＮＲバンド及びＥ−ＵＴＲＡバンドを必ず含めることで、ＭＲ−ＤＣ  ｂａｎｄ  ｃｏｍｂｉｎａｔｉｏｎが先頭に含まれた「ｓｕｐｐｏｒｔｅｄＢａｎｄＣｏｍｂｉｎａｔｉｏｎ」をユーザ装置２０から通知されることができる。
【００４５】
すなわち、複数のＲＡＴを利用する無線通信システムで実行されるデュアルコネクティビティに適用可能であるバンドコンビネーションの通知を行うことができる。
【００４６】
［変形例１］
以上、本発明の実施の形態に係る無線通信システムが行う動作について説明したが、以下では、本無線通信システムが行う動作の他の例について、変形例１として説明する。
【００４７】
図１０は、本発明の実施の形態に係るバンドコンビネーションの制御例を説明するためのフローチャートである。ユーザ装置２０は、基地局装置１０から使用可能なバンドを示す情報であるＦｒｅｑＢａｎｄＬｉｓｔ及び使用するＲＡＴを示すｒａｔ−Ｔｙｐｅを受信しているものとする。
【００４８】
ステップＳ２０１において、ユーザ装置２０は、ＦｒｅｑＢａｎｄＬｉｓｔに含まれるバンドでバンドコンビネーション候補のリストを作成する。続いて、ユーザ装置２０は、使用するＲＡＴを示すｒａｔ−Ｔｙｐｅがｎｒであるか否かを判定する。ｒａｔ−Ｔｙｐｅがｎｒである場合（Ｓ２０２のＹＥＳ）、ステップＳ２０３に進み、ｒａｔ−Ｔｙｐｅがｎｒでない場合（Ｓ２０２のＮＯ）、ステップＳ２０６に進む。
【００４９】
ステップＳ２０３において、ユーザ装置２０は、サポートするバンドコンビネーションを示す情報であるｓｕｐｐｏｒｔｅｄＢａｎｄＣｏｍｂｉｎａｔｉｏｎｓに、バンドコンビネーション候補のリストからｎｒのバンドで構成されるバンドコンビネーションのみを含める。続いて、ユーザ装置２０は、ｓｕｐｐｏｒｔｅｄＢａｎｄＣｏｍｂｉｎａｔｉｏｎｓに対応するｆｅａｕｒｅＳｅｔｓを含める（Ｓ２０４）。ｆｅａｕｒｅＳｅｔｓは、例えば、上りリンク又は下りリンクの物理層の設定を含む。続いて、ユーザ装置２０は、ｓｕｐｐｏｒｔｅｄＢａｎｄＣｏｍｂｉｎａｔｉｏｎｓに対応するｆｅａｔｕｒｅＳｅｔＣｏｍｂｉｎａｔｉｏｎｓ及びｆｅａｔｕｒｅＳｅｔｓに対応するｆｅａｔｕｒｅＳｅｔＣｏｍｂｉｎａｔｉｏｎｓを含めて（Ｓ２０５）、フローを終了する。
【００５０】
ステップＳ２０６において、ユーザ装置２０は、使用するＲＡＴを示すｒａｔ−Ｔｙｐｅがｅｕｔｒａ−ｎｒであるか否かを判定する。ｒａｔ−Ｔｙｐｅがｅｕｔｒａ−ｎｒである場合（Ｓ２０６のＹＥＳ）、ステップＳ２０７に進み、ｒａｔ−Ｔｙｐｅがｅｕｔｒａ−ｎｒでない場合（Ｓ２０６のＮＯ）、ステップＳ２０７に進む。
【００５１】
ステップＳ２０７において、ユーザ装置２０は、サポートするバンドコンビネーションを示す情報であるｓｕｐｐｏｒｔｅｄＢａｎｄＣｏｍｂｉｎａｔｉｏｎｓに、バンドコンビネーション候補のリストからｅｕｔｒａ−ｎｒのバンドで構成されるバンドコンビネーションのみを含める。ｅｕｔｒａ−ｎｒのバンドで構成されるバンドコンビネーションとは、少なくとも１つのｅｕｔｒａバンド及び少なくとも１つのｎｒバンドを含むバンドコンビネーションである。続いて、ユーザ装置２０は、ｓｕｐｐｏｒｔｅｄＢａｎｄＣｏｍｂｉｎａｔｉｏｎｓに対応するｆｅａｔｕｒｅＳｅｔＣｏｍｂｉｎａｔｉｏｎｓ及びｒａｔ−Ｔｙｐｅがｅｕｔｒａ−ｎｒであるＣａｐａｂｉｌｉｔｙ  ｒｅｑｕｅｓｔに対応するｆｅａｔｕｒｅＳｅｔＣｏｍｂｉｎａｔｉｏｎｓを含めて（Ｓ２０８）、フローを終了する。
【００５２】
ステップＳ２０９において、ユーザ装置２０は、使用するＲＡＴを示すｒａｔ−Ｔｙｐｅがｅｕｔｒａであるか否かを判定する。ｒａｔ−Ｔｙｐｅがｅｕｔｒａである場合（Ｓ２０９のＹＥＳ）、ステップＳ２１０に進み、ｒａｔ−Ｔｙｐｅがｅｕｔｒａ−ｎｒでない場合（Ｓ２０９のＮＯ）、フローを終了する。
【００５３】
ステップＳ２１０において、ユーザ装置２０は、サポートするバンドコンビネーションを示す情報であるｓｕｐｐｏｒｔｅｄＢａｎｄＣｏｍｂｉｎａｔｉｏｎｓに、バンドコンビネーション候補のリストからｅｕｔｒａのバンドで構成されるバンドコンビネーションのみを含める。続いて、ユーザ装置２０は、ｓｕｐｐｏｒｔｅｄＢａｎｄＣｏｍｂｉｎａｔｉｏｎｓに対応するｆｅａｕｒｅＳｅｔｓを含める（Ｓ２１１）。続いて、ユーザ装置２０は、ｓｕｐｐｏｒｔｅｄＢａｎｄＣｏｍｂｉｎａｔｉｏｎｓに対応するｆｅａｔｕｒｅＳｅｔＣｏｍｂｉｎａｔｉｏｎｓ及びｆｅａｔｕｒｅＳｅｔｓに対応するｆｅａｔｕｒｅＳｅｔＣｏｍｂｉｎａｔｉｏｎｓを含めて（Ｓ２１２）、フローを終了する。
【００５４】
ユーザ装置２０は、生成したｓｕｐｐｏｒｔｅｄＢａｎｄＣｏｍｂｉｎａｔｉｏｎｓをＵＥＣａｐａｂｉｌｉｔｙＩｎｆｏｍａｔｉｏｎとして基地局装置１０に通知してもよい。
【００５５】
なお、ステップＳ２０２、ステップＳ２０６又はステップＳ２０９の実行順はどのような順であってもよい。例えば、実行順は、Ｓ２０６、Ｓ２０２、Ｓ２０９の順であってもよいし、Ｓ２０９、Ｓ２０６、Ｓ２０２の順であってもよいし、Ｓ２０２、Ｓ２０９、Ｓ２０６の順であってもよいし、他の順であってもよい。
【００５６】
なお、あるバンドコンビネーションを情報要素ｓｕｐｐｏｒｔｅｄＢａｎｄＣｏｍｂｉｎａｔｉｏｓに含めることは、サポートされるバンドコンビネーションを「決定」することであってもよい。
【００５７】
図１１は、本発明の実施の形態に係るバンドコンビネーションの制御例を示す図である。図１１に示されるように、ｒａｔ−Ｔｙｐｅに応じて、サポートするバンドコンビネーションを決定する処理が切り替えることができる。
【００５８】
上述の本発明の実施の形態の変形例１のように、ユーザ装置２０は、Ｅ−ＵＴＲＡ、ＮＲ、Ｅ−ＵＴＲＡ及びＮＲのＲＡＴをサポートする場合、使用するＲＡＴに応じて、適切なバンドを選択して、サポートするバンドコンビネーションを決定することができる。
【００５９】
すなわち、複数のＲＡＴを利用する無線通信システムでサポートするバンドコンビネーションを決定することができる。
【００６０】
（装置構成）
次に、これまでに説明した処理及び動作を実行する基地局装置１０及びユーザ装置２０の機能構成例を説明する。基地局装置１０及びユーザ装置２０はそれぞれ、少なくとも実施例を実施する機能を含む。ただし、基地局装置１０及びユーザ装置２０はそれぞれ、実施例の中の一部の機能のみを備えることとしてもよい。
【００６１】
図１２は、基地局装置１０の機能構成の一例を示す図である。図１２に示されるように、基地局装置１０は、送信部１１０と、受信部１２０と、設定部１３０と、制御部１４０とを有する。図１２に示される機能構成は一例に過ぎない。本発明の実施の形態に係る動作を実行できるのであれば、機能区分及び機能部の名称はどのようなものでもよい。
【００６２】
送信部１１０は、ユーザ装置２０側に送信する信号を生成し、当該信号を無線で送信する機能を含む。受信部１２０は、ユーザ装置２０から送信された各種の信号を受信し、受信した信号から、例えばより上位のレイヤの情報を取得する機能を含む。また、送信部１１０は、ユーザ装置２０へＰＳＳ又はＮＲ−ＰＳＳ、ＳＳＳ又はＮＲ−ＳＳＳ、ＰＢＣＨ又はＮＲ−ＰＢＣＨ、ＤＬ／ＵＬ制御信号等を送信する機能を有する。また、送信部１１０は、ユーザ装置２０に端末能力通知要求を行うメッセージ、ＵＬ又はＤＬのスケジューリングを示す情報を送信し、受信部１２０は、ユーザ装置２０から端末能力通知に係るメッセージを受信する。
【００６３】
設定部１３０は、予め設定される設定情報、及び、ユーザ装置２０に送信する各種の設定情報を格納する。設定情報の内容は、例えば、バンドコンビネーションに関する情報、端末能力に関する情報等である。
【００６４】
制御部１４０は、実施例において説明した、基地局装置１０におけるユーザ装置２０への端末能力通知要求メッセージ、例えばＵＥＣａｐａｂｉｌｉｔｙＥｎｑｕｉｒｙの送信に係る制御、及びユーザ装置２０からの端末能力通知を受信して、当該端末能力に応じた通信を実行する制御を行う。
【００６５】
図１３は、ユーザ装置２０の機能構成の一例を示す図である。図１３に示されるように、ユーザ装置２０は、送信部２１０と、受信部２２０と、設定部２３０と、制御部２４０とを有する。図１３に示される機能構成は一例に過ぎない。本発明の実施の形態に係る動作を実行できるのであれば、機能区分及び機能部の名称はどのようなものでもよい。
【００６６】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１０から送信されるＰＳＳ又はＮＲ−ＰＳＳ、ＳＳＳ又はＮＲ−ＳＳＳ、ＰＢＣＨ又はＮＲ−ＰＢＣＨ、ＤＬ／ＵＬ制御信号等を受信する機能を有する。また、送信部２１０は、基地局装置１０に端末能力通知に係るメッセージを送信し、受信部１２０は、基地局装置１０から端末能力通知要求に関するメッセージ、ＵＬ又はＤＬのスケジューリングを示す情報を受信する。
【００６７】
設定部２３０は、受信部２２０により基地局装置１０から受信した各種の設定情報を格納する。また、設定部２３０は、予め設定される設定情報も格納する。設定情報の内容は、例えば、バンドコンビネーションに関する情報、端末能力通知に関する情報等である。
【００６８】
制御部２４０は、実施例において説明した、ユーザ装置２０から基地局装置１０に送信する端末能力通知メッセージ、例えばＵＥＣａｐａｂｉｌｉｔｙＩｎｆｏｒｍａｔｉｏｎの生成及び送信に係る制御を行う。なお、制御部２４０における端末能力通知メッセージの送信等に関する機能部を送信部２１０に含め、制御部２４０における端末能力通知要求メッセージの受信等に関する機能部を受信部２２０に含めてもよい。
【００６９】
（ハードウェア構成）
上記実施形態の説明に用いたブロック図（図１２及び図１３）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００７０】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００７１】
例えば、本開示の一実施の形態における基地局装置１０、ユーザ装置２０等は、本開示の無線通信方法の処理を行うコンピュータとして機能してもよい。図１４は、本開示の一実施の形態に係る基地局装置１０及びユーザ装置２０のハードウェア構成の一例を示す図である。上述の基地局装置１０及びユーザ装置２０は、物理的には、プロセッサ１００１、記憶装置１００２、補助記憶装置１００３、通信装置１００４、入力装置１００５、出力装置１００６、バス１００７などを含むコンピュータ装置として構成されてもよい。
【００７２】
なお、以下の説明では、「装置」という文言は、回路、デバイス、ユニット等に読み替えることができる。基地局装置１０及びユーザ装置２０のハードウェア構成は、図に示した各装置を１つ又は複数含むように構成されてもよいし、一部の装置を含まずに構成されてもよい。
【００７３】
基地局装置１０及びユーザ装置２０における各機能は、プロセッサ１００１、記憶装置１００２等のハードウェア上に所定のソフトウェア（プログラム）を読み込ませることによって、プロセッサ１００１が演算を行い、通信装置１００４による通信を制御したり、記憶装置１００２及び補助記憶装置１００３におけるデータの読み出し及び書き込みの少なくとも一方を制御したりすることによって実現される。
【００７４】
プロセッサ１００１は、例えば、オペレーティングシステムを動作させてコンピュータ全体を制御する。プロセッサ１００１は、周辺装置とのインタフェース、制御装置、演算装置、レジスタ等を含む中央処理装置（ＣＰＵ：Central Processing Unit）で構成されてもよい。例えば、上述の制御部１４０、制御部２４０等は、プロセッサ１００１によって実現されてもよい。
【００７５】
また、プロセッサ１００１は、プログラム（プログラムコード）、ソフトウェアモジュール又はデータ等を、補助記憶装置１００３及び通信装置１００４の少なくとも一方から記憶装置１００２に読み出し、これらに従って各種の処理を実行する。プログラムとしては、上述の実施の形態において説明した動作の少なくとも一部をコンピュータに実行させるプログラムが用いられる。例えば、図１２に示した基地局装置１０の制御部１４０は、記憶装置１００２に格納され、プロセッサ１００１で動作する制御プログラムによって実現されてもよい。また、例えば、図１３に示したユーザ装置２０の制御部２４０は、記憶装置１００２に格納され、プロセッサ１００１で動作する制御プログラムによって実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されてもよい。
【００７６】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の少なくとも１つによって構成されてもよい。記憶装置１００２は、レジスタ、キャッシュ、メインメモリ（主記憶装置）等と呼ばれてもよい。記憶装置１００２は、本開示の一実施の形態に係る通信方法を実施するために実行可能なプログラム（プログラムコード）、ソフトウェアモジュール等を保存することができる。
【００７７】
補助記憶装置１００３は、コンピュータ読み取り可能な記録媒体であり、例えば、ＣＤ−ＲＯＭ（Compact Disc ROM）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つによって構成されてもよい。補助記憶装置１００３は、補助記憶装置と呼ばれてもよい。上述の記憶媒体は、例えば、記憶装置１００２及び補助記憶装置１００３の少なくとも一方を含むデータベース、サーバその他の適切な媒体であってもよい。
【００７８】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、送受信アンテナ、アンプ部、送受信部、伝送路インターフェース等は、通信装置１００４によって実現されてもよい。送受信部は、送信部と受信部とで、物理的に、または論理的に分離された実装がなされてもよい。
【００７９】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、LEDランプ等）である。なお、入力装置１００５及び出力装置１００６は、一体となった構成（例えば、タッチパネル）であってもよい。
【００８０】
また、プロセッサ１００１及び記憶装置１００２等の各装置は、情報を通信するためのバス１００７によって接続される。バス１００７は、単一のバスを用いて構成されてもよいし、装置間ごとに異なるバスを用いて構成されてもよい。
【００８１】
また、基地局装置１０及びユーザ装置２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）等のハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００８２】
（実施の形態のまとめ１）
以上、説明したように、本発明の実施の形態によれば、第１のＲＡＴ及び第２のＲＡＴを使用して基地局装置と通信を行うユーザ装置であって、前記ユーザ装置がサポートするバンドコンビネーションの候補となるバンドを示す第１の情報を前記基地局装置から受信する受信部と、前記第１の情報に基づいて、前記第１のＲＡＴで使用されるバンド及び前記第２のＲＡＴで使用されるバンドを含むバンドコンビネーションが先頭に含まれるリストを含む第２の情報を含む端末能力情報を生成する生成部と、生成された前記端末能力情報を前記基地局装置に送信する送信部とを有するユーザ装置が提供される。
【００８３】
上記の構成により、複数のＲＡＴを利用する無線通信システムで実行されるデュアルコネクティビティに適用可能であるバンドコンビネーションの通知を行うことができる。
【００８４】
前記第１の情報に基づいて、前記第１のＲＡＴで使用されるバンドから構成される第１のリスト及び前記第２のＲＡＴで使用されるバンドから構成される第２のリストが生成され、前記第１のリスト及び前記第２のリストに基づいて、前記第２の情報が生成されてもよい。当該構成により、ユーザ装置２０は、複数のＲＡＴを利用する無線通信システムで実行されるデュアルコネクティビティに適用可能であるバンドコンビネーションの通知を行うことができる。
【００８５】
前記第２の情報は、前記第１のリストのバンドの順が優先されて生成されてもよい。当該構成により、サポートするバンドコンビネーションのリストの順に優先するＲＡＴのバンドを反映することができる。
【００８６】
前記第２の情報は、前記第２のリストのバンドの順が優先されて生成されてもよい。当該構成により、サポートするバンドコンビネーションのリストの順に優先するＲＡＴのバンドを反映することができる。
【００８７】
前記第２の情報は、前記第１のリストのバンドと前記第２のリストのバンドとが、交互に優先されて生成されてもよい。当該構成により、サポートするバンドコンビネーションのリストの順に、複数のＲＡＴのバンドを交互に配置することができる。
【００８８】
また、本発明の実施の形態によれば、第１のＲＡＴ及び第２のＲＡＴを使用してユーザ装置と通信を行う基地局装置であって、前記ユーザ装置がサポートするバンドコンビネーションの候補となるバンドを示す第１の情報を前記ユーザ装置に送信する送信部と、前記第１の情報に基づいて、前記第１のＲＡＴで使用されるバンド及び前記第２のＲＡＴで使用されるバンドを含むバンドコンビネーションが先頭に含まれるリストを含む第２の情報を含む端末能力情報を前記ユーザ装置から受信する受信部と、受信された前記端末能力情報に基づいて、前記ユーザ装置との通信を制御する管理部とを有する基地局装置が提供される。
【００８９】
上記の構成により、複数のＲＡＴを利用する無線通信システムで実行されるデュアルコネクティビティに適用可能であるバンドコンビネーションの通知を行うことができる。
【００９０】
（実施の形態のまとめ２）
以上、説明したように、本発明の実施の形態の変形例１によれば、サポートされるバンドコンビネーションの候補となるバンドを示す第１の情報と、いずれのＲＡＴ（Radio Access Technology）を使用するかを示す第２の情報とを基地局装置から受信する受信部と、前記第２の情報に基づいて、前記第１の情報に含まれるバンドからサポートされるバンドコンビネーションを決定する制御部と、前記決定されたバンドコンビネーションを含む端末能力情報を前記基地局装置に送信する送信部とを有するユーザ装置が提供される。
【００９１】
上記の構成により、ユーザ装置２０は、Ｅ−ＵＴＲＡ、ＮＲ、Ｅ−ＵＴＲＡ及びＮＲのＲＡＴをサポートする場合、使用するＲＡＴに応じて、適切なバンドを選択して、サポートするバンドコンビネーションを決定することができる。すなわち、複数のＲＡＴを利用する無線通信システムでサポートするバンドコンビネーションを決定することができる。
【００９２】
前記制御部は、前記第２の情報が第１のＲＡＴを示す場合、前記第１のＲＡＴで構成されるバンドのみを前記決定されたバンドコンビネーションに含め、前記第２の情報が第２のＲＡＴを示す場合、前記第２のＲＡＴで構成されるバンドのみを前記決定されたバンドコンビネーションに含めてもよい。当該構成により、ユーザ装置２０は、Ｅ−ＵＴＲＡ、ＮＲのＲＡＴをサポートする場合、使用するＲＡＴに応じて、適切なバンドを選択して、サポートするバンドコンビネーションを決定することができる。
【００９３】
前記制御部は、前記第２の情報が第１のＲＡＴ及び第２のＲＡＴを示す場合、前記第１のＲＡＴで構成されるバンドを少なくとも１つと、前記第２のＲＡＴで構成されるバンドを少なくとも１つとを前記決定されたバンドコンビネーションに含めてもよい。当該構成により、ユーザ装置２０は、Ｅ−ＵＴＲＡ及びＮＲのＲＡＴをサポートする場合、使用するＲＡＴに応じて、適切なバンドを選択して、サポートするバンドコンビネーションを決定することができる。
【００９４】
サポートされるバンドコンビネーションの候補となるバンドを示す第１の情報と、いずれのＲＡＴ（Radio Access Technology）を使用するかを示す第２の情報とをユーザ装置に送信する送信部と、
前記第２の情報に基づいて、前記第１の情報に含まれるバンドから決定されたサポートされるバンドコンビネーションを含む端末能力情報を受信する受信部と、
受信された前記端末能力情報に基づいて、前記ユーザ装置との通信を制御する制御部とを有する基地局装置。
【００９５】
上記の構成により、ユーザ装置２０は、Ｅ−ＵＴＲＡ、ＮＲ、Ｅ−ＵＴＲＡ及びＮＲのＲＡＴをサポートする場合、使用するＲＡＴに応じて、適切なバンドを選択して、サポートするバンドコンビネーションを決定することができる。すなわち、複数のＲＡＴを利用する無線通信システムでサポートするバンドコンビネーションを決定することができる。
【００９６】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１０及びユーザ装置２０は機能的なブロック図を用いて説明されたが、そのような装置はハードウェアで、ソフトウェアで又はそれらの組み合わせで実現されてもよい。本発明の実施の形態に従って基地局装置１０が有するプロセッサにより動作するソフトウェア及び本発明の実施の形態に従ってユーザ装置２０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９７】
また、情報の通知は、本開示で説明した態様／実施形態に限られず、他の方法を用いて行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージ等であってもよい。
【００９８】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００９９】
本明細書で説明した各態様／実施形態の処理手順、シーケンス、フローチャート等は、矛盾の無い限り、順序を入れ替えてもよい。例えば、本開示において説明した方法については、例示的な順序を用いて様々なステップの要素を提示しており、提示した特定の順序に限定されない。
【０１００】
本明細書において基地局装置１０によって行われるとした特定動作は、場合によってはその上位ノード（upper node）によって行われることもある。基地局装置１０を有する１つ又は複数のネットワークノード（network nodes）からなるネットワークにおいて、ユーザ装置２０との通信のために行われる様々な動作は、基地局装置１０及び基地局装置１０以外の他のネットワークノード（例えば、ＭＭＥ又はＳ−ＧＷ等が考えられるが、これらに限られない）の少なくとも１つによって行われ得ることは明らかである。上記において基地局装置１０以外の他のネットワークノードが１つである場合を例示したが、他のネットワークノードは、複数の他のネットワークノードの組み合わせ（例えば、ＭＭＥ及びＳ−ＧＷ）であってもよい。
【０１０１】
本開示において説明した情報又は信号等は、上位レイヤ（又は下位レイヤ）から下位レイヤ（又は上位レイヤ）へ出力され得る。複数のネットワークノードを介して入出力されてもよい。
【０１０２】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１０３】
本開示における判定は、１ビットで表される値（０か１か）によって行われてもよいし、真偽値（Boolean：true又はfalse）によって行われてもよいし、数値の比較（例えば、所定の値との比較）によって行われてもよい。
【０１０４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１０６】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０７】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１０８】
本開示において使用する「システム」及び「ネットワーク」という用語は、互換的に使用される。
【０１０９】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１１０】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１１１】
本開示においては、「基地局（ＢＳ：Base  Station）」、「無線基地局」、「基地局装置」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１１２】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１１３】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１１４】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１１５】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１１６】
また、本開示における基地局は、ユーザ端末で読み替えてもよい。例えば、基地局及びユーザ端末間の通信を、複数のユーザ装置２０間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局装置１０が有する機能をユーザ装置２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１１７】
同様に、本開示におけるユーザ端末は、基地局で読み替えてもよい。この場合、上述のユーザ端末が有する機能を基地局が有する構成としてもよい。
【０１１８】
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１１９】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１２０】
参照信号は、ＲＳ（Reference  Signal）と略称することもでき、適用される標準によってパイロット（Pilot）と呼ばれてもよい。
【０１２１】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２２】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１２３】
上記の各装置の構成における「手段」を、「部」、「回路」、「デバイス」等に置き換えてもよい。
【０１２４】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１２５】
無線フレームは時間領域において１つ又は複数のフレームによって構成されてもよい。時間領域において１つ又は複数の各フレームはサブフレームと呼ばれてもよい。サブフレームは更に時間領域において１つ又は複数のスロットによって構成されてもよい。サブフレームは、ニューメロロジ（numerology）に依存しない固定の時間長（例えば、１ｍｓ）であってもよい。
【０１２６】
ニューメロロジは、ある信号又はチャネルの送信及び受信の少なくとも一方に適用される通信パラメータであってもよい。ニューメロロジは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１２７】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジに基づく時間単位であってもよい。
【０１２８】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１２９】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１３０】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１３１】
ここで、ＴＴＩは、例えば、無線通信におけるスケジューリングの最小時間単位のことをいう。例えば、ＬＴＥシステムでは、基地局が各ユーザ装置２０に対して、無線リソース（各ユーザ装置２０において使用することが可能な周波数帯域幅、送信電力など）を、ＴＴＩ単位で割り当てるスケジューリングを行う。なお、ＴＴＩの定義はこれに限られない。
【０１３２】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１３３】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１３４】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１３５】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１３６】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジに関わらず同じであってもよく、例えば１２であってもよい。ＲＢに含まれるサブキャリアの数は、ニューメロロジに基づいて決定されてもよい。
【０１３７】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１３８】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１３９】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１４０】
帯域幅部分（ＢＷＰ：Bandwidth  Part）（部分帯域幅などと呼ばれてもよい）は、あるキャリアにおいて、あるニューメロロジ用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１４１】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１４２】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１４３】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１４４】
本開示において、例えば、英語でのa,  an及びtheのように、翻訳により冠詞が追加された場合、本開示は、これらの冠詞の後に続く名詞が複数形であることを含んでもよい。
【０１４５】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１４６】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１４７】
なお、本開示において、送信部２１０及び受信部２２０は、通信部の一例である。ＭＮは、第１の基地局装置の一例である。ＳＮは、第２の基地局装置の一例である。Ｄａｔａ  Ｉｎａｃｔｉｖｉｔｙ  Ｔｉｍｅｒは、データ非活動タイマの一例である。
【０１４８】
なお、本開示において、ＦｒｅｑＢａｎｄＬｉｓｔは、サポートされるバンドコンビネーションの候補となるバンドを示す情報の一例である。ＮＲは、第１のＲＡＴの一例である。Ｅ−ＵＴＲＡは、第２のＲＡＴの一例である。
【０１４９】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【符号の説明】
【０１５０】
１００      基地局装置
２００      ユーザ装置
１１０      送信部
１２０      受信部
１３０      設定部
１４０      制御部
２００      ユーザ装置
２１０      送信部
２２０      受信部
２３０      設定部
２４０      制御部
１００１    プロセッサ
１００２    記憶装置
１００３    補助記憶装置
１００４    通信装置
１００５    入力装置
１００６    出力装置
【図１】
2020090069.tif 000003
【図２】
2020090069.tif 000004
【図３】
2020090069.tif 000005
【図４】
2020090069.tif 000006
【図５】
2020090069.tif 000007
【図６】
2020090069.tif 000008
【図７】
2020090069.tif 000009
【図８】
2020090069.tif 000010
【図９】
2020090069.tif 000011
【図１０】
2020090069.tif 000012
【図１１】
2020090069.tif 000013
【図１２】
2020090069.tif 000014
【図１３】
2020090069.tif 000015
【図１４】
2020090069.tif 000016
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
バンドコンビネーションの候補となるバンドを示す第１の情報と、いずれのＲＡＴ（Radio Access Technology）を使用するかを示す第２の情報とを基地局装置から受信する受信部と、
前記第２の情報に基づいて、前記第１の情報に含まれるバンドからサポートされるバンドコンビネーションを決定し、前記サポートされるバンドコンビネーションのｆｅａｔｕｒｅ  ｓｅｔ及び前記サポートされるバンドコンビネーションに対応するｆｅａｔｕｒｅ  ｓｅｔ  ｃｏｍｂｉｎａｔｉｏｎの少なくともいずれか一方を決定する制御部と、
前記決定されたバンドコンビネーションと、少なくとも、前記決定されたfeature set、及び前記決定されたfeature set combinationのいずれか一方と、を含む端末能力情報を前記基地局装置に送信する送信部とを有する端末。
【請求項２】
前記制御部は、前記第２の情報が第１のＲＡＴを示す場合、前記第１のＲＡＴで構成されるバンドのみを前記制御部により決定されたサポートされるバンドコンビネーションに含め、
前記決定されたサポートされるバンドコンビネーションのｆｅａｔｕｒｅ  ｓｅｔ及びｆｅａｔｕｒｅ  ｓｅｔ  ｃｏｍｂｉｎａｔｉｏｎを決定して前記端末能力情報に含め、
前記第２の情報が第２のＲＡＴを示す場合、前記第２のＲＡＴで構成されるバンドを前記制御部により決定されたバンドコンビネーションに含める請求項１に記載の端末。
【請求項３】
前記制御部は、前記第２の情報が第１のＲＡＴ及び第２のＲＡＴを示す場合、前記第１のＲＡＴで構成されるバンドを少なくとも１つと、前記第２のＲＡＴで構成されるバンドを少なくとも１つとを前記制御部により決定されたサポートされるバンドコンビネーションに含め、
前記決定されたサポートされるバンドコンビネーションに対応するｆｅａｔｕｒｅ  ｓｅｔ  ｃｏｍｂｉｎａｔｉｏｎを決定して前記端末能力情報に含める請求項１に記載の端末。
【請求項４】
バンドコンビネーションの候補となるバンドを示す第１の情報と、いずれのＲＡＴ（Radio Access Technology）を使用するかを示す第２の情報とを端末に送信する送信部と、
前記第２の情報に基づいて、前記第１の情報に含まれるバンドから決定されたサポートされるバンドコンビネーション、前記サポートされるバンドコンビネーションのｆｅａｔｕｒｅ  ｓｅｔ及び前記サポートされるバンドコンビネーションに対応するｆｅａｔｕｒｅ  ｓｅｔ  ｃｏｍｂｉｎａｔｉｏｎの少なくともいずれか一方を含む端末能力情報を受信する受信部と、
受信された前記端末能力情報に基づいて、前記端末との通信を制御する制御部とを有する基地局装置。
【請求項５】
バンドコンビネーションの候補となるバンドを示す第１の情報と、いずれのＲＡＴ（Ｒａｄｉｏ  Ａｃｃｅｓｓ  Ｔｅｃｈｎｏｌｏｇｙ）を使用するかを示す第２の情報とを基地局装置から受信するステップと、
前記第２の情報に基づいて、前記第１の情報に含まれるバンドからサポートされるバンドコンビネーションを決定し、前記サポートされるバンドコンビネーションのｆｅａｔｕｒｅ  ｓｅｔ及び前記サポートされるバンドコンビネーションに対応するｆｅａｔｕｒｅ  ｓｅｔ  ｃｏｍｂｉｎａｔｉｏｎの少なくともいずれか一方を決定するステップと、
前記決定されたバンドコンビネーションと、少なくとも、前記決定されたｆｅａｔｕｒｅ  ｓｅｔ、及び前記決定されたｆｅａｔｕｒｅ  ｓｅｔ  ｃｏｍｂｉｎａｔｉｏｎのいずれか一方と、を含む端末能力情報を前記基地局装置に送信するステップとを有する端末による通信方法。
【請求項６】
端末及び基地局装置を備える無線通信システムであって、
前記端末は、
バンドコンビネーションの候補となるバンドを示す第１の情報と、いずれのＲＡＴ（Ｒａｄｉｏ  Ａｃｃｅｓｓ  Ｔｅｃｈｎｏｌｏｇｙ）を使用するかを示す第２の情報とを基地局装置から受信する受信部と、
前記第２の情報に基づいて、前記第１の情報に含まれるバンドからサポートされるバンドコンビネーションを決定し、前記サポートされるバンドコンビネーションのｆｅａｔｕｒｅ  ｓｅｔ及び前記サポートされるバンドコンビネーションに対応するｆｅａｔｕｒｅ  ｓｅｔ  ｃｏｍｂｉｎａｔｉｏｎの少なくともいずれか一方を決定する制御部と、
前記決定されたバンドコンビネーションと、少なくとも、前記決定されたｆｅａｔｕｒｅ  ｓｅｔ、及び前記決定されたｆｅａｔｕｒｅ  ｓｅｔ  ｃｏｍｂｉｎａｔｉｏｎのいずれか一方と、を含む端末能力情報を前記基地局装置に送信する送信部と
を備え、
前記基地局装置は、
前記第１の情報と、前記第２の情報とを前記端末に送信する送信部と、
前記端末能力情報を受信する受信部と、
前記端末能力情報に基づいて、前記端末との通信を制御する制御部と、
を備える、
無線通信システム。
【国際調査報告】
2020090069.tif 000017
2020090069.tif 000018
2020090069.tif 000019
2020090069.tif 000020